(57)【要約】      （修正有）【課題】締付バンドを捲回固着する必要もなく、設置の手間を低減できる分割貫通型変流器を提供する。【解決手段】一の分割コア２ａの二次側コイル３ａの一端３０ａは外部の一方の端子と連結し、二次側コイル３ａの他端３０ｂは第一接続金具４ａに連結し、他方の分割コア２ｂの二次側コイル３ｂの一端は第二接続金具４ｂと連結し、二次側コイル３ｂの他端３１ｂは第三接続金具４ｃと連結し、第一接続金具及び第二接続金具のうち一方が雌螺子を備え、他方が対応する雄螺子を通す貫通穴を備え、第三接続金具に対向して一方のコアブロック１ａに埋設される第四接続金具４ｄを備え、第三接続金具及び第四接続金具のうち一方が雌螺子を備え、他方が前記雌螺子に対応する雄螺子を通すための貫通穴を備え、第一接続金具と第二接続金具とを締付固定し第一接続金具と第二接続金具とを接続し、第三接続金具と第四接続金具とを締付固定し、第三接続金具と第四接続金具とを接続してなる。【選択図】図１
0003211574.tif 000002
【実用新案登録請求の範囲】
【請求項１】
モールドされた分割コアを有するコアブロックを対向して備え、固定手段によって当該コアブロック相互を固定する分割貫通型変流器において、
一方のコアブロックの内部で分割コアに捲回される二次側コイルの一端は外部の一方の端子と連結され、当該二次側コイルの他端は第一接続金具に連結されており、
他方のコアブロックの内部で分割コアに捲回される二次側コイルの一端は第二接続金具と連結され、当該二次側コイルの他端は第三接続金具と連結されており、
前記第一接続金具及び第二接続金具のうち一方が雌螺子を備え、他方が前記雌螺子に対応する雄螺子を通すための貫通穴を備え、
前記他方のコアブロックの前記第三接続金具に対向して、前記一方のコアブロックに埋設される第四接続金具を備え、
前記第三接続金具及び第四接続金具のうち一方が雌螺子を備え、他方が前記雌螺子に対応する雄螺子を通すための貫通穴を備え、
前記第三接続金具又は第三接続金具のうち雌螺子を備える側の一端は、一方のコアブロックの張出部における対向面に表出しており、他端は前記張出部の反対側の面に表出しており、
前記第一接続金具と第二接続金具とが前記雌螺子及び雄螺子の螺合により締付固定されており、且つ前記第一接続金具と第二接続金具とが接続されており、
前記第三接続金具と第四接続金具とが前記雌螺子及び雄螺子との螺合により締付固定されており、且つ前記第三接続金具と第四接続金具とが接続されており、
前記雌螺子に螺合する前記雄螺子と干渉しない範囲で、端子となる雄螺子が螺合されていることを特徴とする分割貫通型変流器。
【請求項２】
分割コアで構成されるコアと、分割コアで構成される他のコアとを、一のコアブロック内に並設したことを特徴とする請求項１記載の分割貫通型変流器。
【請求項３】
分割コアで構成される第一のコアを電源用コアとし、分割コアで構成される第二のコアを計測用コアとし、一のコアブロック内にこれら第一のコア及び第二のコアを並設して電源用トランス部と計測用トランス部とを共存させたことを特徴とする請求項１又は２記載の分割貫通型変流器。
【考案の詳細な説明】
【技術分野】
【０００１】
本考案は、主として変流器のうち、分割コアを有する貫通型変流器であって分割コアが樹脂等の絶縁物によってモールドされた変流器（以下、分割貫通型変流器）に関し、更に詳しくは組立や設置における省力化構造を備える分割貫通型変流器に関する。
【背景技術】
【０００２】
従来、種々の分割貫通型変流器が創作されている。分割貫通型変流器は一次導体であるケーブル等に設置する際に、ケーブルを挟み込んで対向する一対の分割コア相互を突き合わせて設置できるため、利便性に優れている。
その一方で分割貫通型変流器は製造工程において分割した分割コアごとに注型を要する。
また分割貫通型変流器は、組立後当該分割コアが分離しないように、別途締付固定手段によって固定される。従って、分割貫通型変流器はこれらの製造工程を経ることにより完成するため、その製造工程は一般に煩雑である。
【０００３】
上記の別途の締付固定手段としてボルト等を用いる分割貫通型変流器としては、例えば、２本の鉄心脚の両端面を突合せて環状鉄心を構成する分割形鉄心の一方の鉄心脚に二次コイルを巻装してその口出線を二次端子側に接続し、且つ両鉄心脚をゴム又は樹脂にて一次導体が貫通し得る中空部が形成されるように注形し硬化させてそれぞれ外被絶縁物を形成し、これらを前記中空部に一次導体を貫通させて両鉄心脚の端面が突合わされる如く組合せて一体的に構成するとともに前記二次側端子に二次側リード線又はケーブルを接続してなる分割形変流器が公知である（例えば、特許文献１第１頁第２欄第２１行から第２頁第３欄第２３行、第１図参照。）。
【０００４】
また、同特許文献１において新たに開示される考案であって、２本の鉄心脚の両端面を突合せて環状鉄心を構成する分割形鉄心の一方の鉄心脚に二次コイルを巻装してその口出線を二次端子側に接続し、且つ両鉄心脚をゴム又は樹脂にて一時導体が貫通し得る中空部が形成されるように注形し硬化させてそれぞれ外被絶縁物を形成し、これらを前記中空部に一次導体を貫通させて両鉄心脚の端面が突合わされる如く組合せて一体的に構成するとともに前記二次側端子に二次側リード線又はケーブルを接続してなる分割形変流器において、前記外被絶縁物の前記二次側端子と前記二次側リード線又はケーブルとの接続部となる部分に凹部を形成し、この凹部内で前記二次側端子に前記二次側リード線又はケーブルを接続するとともに、この接続部を覆うようにゴムペースト又は常温硬化性等の樹脂を注入して前記凹部が前記外被絶縁部の他の部位と同一平面となるように絶縁成形してその絶縁成形物により前記凹部を密閉する構造としたことを特徴とする分割貫通型変流器が公知である。
【０００５】
また、組立後当該分割コアが分離しないよう固定手段を用いる他の例としては、例えば、２個の半円環状の鉄心に夫々低圧コイルを巻回した後、その該周囲を樹脂モールドにより形成した分割鉄心と、この２個の分割鉄心を円環状に連結すべく、これら外周面に１本或いは複数本の締付バンドを巻回し、このバンド両端部に設けた雄ネジ部材を締付け固定して該バンドを緊締状態に保持する板金製の締付金具とを備え、前記締付金具には前記締付バンドの雄ネジ部材を側方からはめ込み挿通可能な切欠溝を形成し、この切欠溝に挿通した雄ネジ部材に該締付金具の上下面からナット部材を締付けた構成を特徴とする分割貫通型変流器（例えば、特許文献２参照。）が公知である。
【先行技術文献】
【特許文献】
【０００６】
【特許文献１】実公昭６３−２２６６２号公報
【特許文献２】特開２００１−３５７３６号公報
【考案の概要】
【考案が解決しようとする課題】
【０００７】
上記特許文献１において先行技術として開示される変流器は、上側鉄心脚部と下側鉄心脚部とを分割面Ｓにて突き合わせ図示しないボルトなどにより一体的に締付け固定することが開示されている。即ち、当該構成によれば、二次側ケーブルは二次側端子に結線された状態でモールドされる。そして成形された後に、上記図示しないボルトなどにより一体的に締付け固定する構成である。
このため、二次側端子とケーブルの結線を行った後、注型し、更に分割コアの締付固定を行い、更に別途に結線を行うこととなり、非常に手間となっていた。
【０００８】
また上記特許文献１において新たに開示される考案に係る変流器は、接続部の強度を向上しつつ防水性を高めることを主眼としていることから当該点においては上記先行技術よりも優れると認められるものの、二次側ケーブルの長さが製造段階において設定される必要性が生じ、状況に応じて二次側ケーブルの長さが足りない場合には、別途結線を行う必要があり、使用時の融通に欠けるものであった。
【０００９】
また特許文献２に開示される変流器は、上記したように、２個の分割鉄心を円環状に連結すべく、これら外周面に１本或いは複数本の締付バンドを巻回し、このバンド両端部に設けた雄ネジ部材を締付け固定して該バンドを緊締状態に保持する板金製の締付金具を備えるものであり、二次側端子は別箇に設けられる構成である。
当該構成よれば、特許文献２の図１にも開示されるように、端子の上端はケーブルと接続可能となるように接続端子４６ａ〜４６ｄを備えており、二次側ケーブルについて接続時の容易性は図られているとも考えられる。
【００１０】
しかしながら、当該変流器によっても、別途締付バンドを捲回した上で、当該締付バンドを固着しなければならない。その後にナット部材の締め込みを行って締付固定を行うものであるため、設置時の工数が多く煩雑である点で問題があった。
これらの作業は、高圧線等の近傍で行われることが多く、作業者の安全上の観点からも、組立、設置時の負担を軽減する必要がある。
【００１１】
本考案は以上の事情に鑑みてなされたものであり、締付バンドを捲回、固着する必要もなく、設置の手間が低減される分割貫通型変流器の提供を、考案が解決しようとする課題とする。
【課題を解決するための手段】
【００１２】
モールドされた分割コアを有するコアブロックを対向して備え、固定手段によって当該コアブロック相互を固定する分割貫通型変流器において、一方のコアブロックの内部で分割コアに捲回される二次側コイルの一端は外部の一方の端子と連結され、当該二次側コイルの他端は第一接続金具に連結されており、他方のコアブロックの内部で分割コアに捲回される二次側コイルの一端は第二接続金具と連結され、当該二次側コイルの他端は第三接続金具と連結されており、前記第一接続金具及び第二接続金具のうち一方が雌螺子を備え、他方が前記雌螺子に対応する雄螺子を通すための貫通穴を備え、前記他方のコアブロックの前記第三接続金具に対向して、前記一方のコアブロックに埋設される第四接続金具を備え、前記第三接続金具及び第四接続金具のうち一方が雌螺子を備え、他方が前記雌螺子に対応する雄螺子を通すための貫通穴を備え、前記第三接続金具又は第三接続金具のうち雌螺子を備える側の一端は、一方のコアブロックの張出部における対向面に表出しており、他端は前記張出部の反対側の面に表出しており、前記第一接続金具と第二接続金具とが前記雌螺子及び雄螺子の螺合により締付固定されており、且つ前記第一接続金具と第二接続金具とが接続されており、前記第三接続金具と第四接続金具とが前記雌螺子及び雄螺子との螺合により締付固定されており、且つ前記第三接続金具と第四接続金具とが接続されており、前記雌螺子に螺合する前記雄螺子と干渉しない範囲で、端子となる雄螺子が螺合されていることを特徴とする分割貫通型変流器を、課題を解決するための手段とする。
【００１３】
また本考案は、上記考案の構成を基本として、分割コアで構成される一のコアと、分割コアで構成される他の一又は複数のコアとを、一組のコアブロック内に平行して備えたことを特徴とする分割貫通型変流器を、課題を解決するための手段とする。
【００１４】
また本考案は、上記何れかの考案の構成を前提として、分割コアで構成される第一のコアを電源用コアとし、分割コアで構成される第二のコアを計測用コアとし、一のコアブロック内に平行に備えたことによって電源用変流器と計測用変流器とを共存させたことを特徴とする分割貫通型変流器を、課題を解決するための手段とする。
【考案の効果】
【００１５】
本考案によれば、一方のコアブロックの内部で分割コアに捲回される二次側コイルの一端は外部の一方の端子と連結され、当該二次側コイルの他端は第一接続金具に連結されており、他方のコアブロックの内部で分割コアに捲回される二次側コイルの一端は第二接続金具と連結され、当該二次側コイルの他端は第三接続金具と連結されており、前記第一接続金具及び第二接続金具のうち一方が雌螺子を備え、他方が前記雌螺子に対応する雄螺子を通すための貫通穴を備え、前記他方のコアブロックの前記第三接続金具に対向して、前記一方のコアブロックに埋設される第四接続金具を備え、前記第三接続金具及び第四接続金具のうち一方が雌螺子を備え、他方が前記雌螺子に対応する雄螺子を通すための貫通穴を備え、前記第三接続金具又は第三接続金具のうち雌螺子を備える側の一端は、一方のコアブロックの張出部における対向面に表出しており、他端は前記張出部の反対側の面に表出しており、前記第一接続金具と第二接続金具とが前記雌螺子及び雄螺子の螺合により締付固定されており、且つ前記第一接続金具と第二接続金具とが接続されており、前記第三接続金具と第四接続金具とが前記雌螺子及び雄螺子との螺合により締付固定されており、
且つ前記第三接続金具と第四接続金具とが接続されており、前記雌螺子に螺合する前記雄螺子と干渉しない範囲で、端子となる雄螺子が螺合されている構成としたことから、第一接続金具及び第二接続金具間、及び、第三接続金具及び第四接続金具間の双方を雌雄の螺子で螺合させることで、二次端子側をコア全体に亘って接続することができ、且つ、同時にコアブロック相互を強固に固着することができる。
【００１６】
また本考案によれば、上記考案の構成を基本として、分割コアで構成される一のコアと、分割コアで構成される他の一又は複数のコアとを、一組のコアブロック内に並設したことから、複数のコアについても、上記考案の効果を奏することができることに加え、複数の機能を組み合わせることによって、一の分割貫通型変流器によって、多数の機能を同時に発揮することができる。更に、一組のコアブロックを平行に配置する構成によって配線を画一的に行うことができ、製造工程の簡略化に資することができる。
【００１７】
また本考案によれば、上記いずれかの考案の構成を基本として、分割コアで構成される第一のコアを電源用コアとし、分割コアで構成される第二のコアを計測用コアとし、一のコアブロック内に並設したことから、電源用変流器と計測用変流器とを共存させたことによって、所定の電力の供給と電流の計測を併せて行うことができ、安全性の高い分割貫通型変流器を提供することができる。
【図面の簡単な説明】
【００１８】
【図１】本考案の実施例１に係る分割貫通型変流器の正面図。
【図２】同実施例１に係る分割貫通型変流器の背面図。
【図３】同実施例１に係る分割貫通型変流器の（ａ）右側面図、及び（ｂ）左側面図。
【図４】同実施例１に係る分割貫通型変流器における（ａ）第一コアブロックの底面図、及び、（ｂ）第二コアブロックの平面図。
【図５】同実施例１に係る分割貫通型変流器の配線簡略図。
【図６】本考案の実施例２に係る分割貫通型変流器の正面図。
【図７】同実施例２に係る分割貫通型変流器の背面図。
【図８】同実施例２に係る分割貫通型変流器の配線簡略図。
【図９】同実施例２に係る分割貫通型変流器の（ａ）平面図、及び（ｂ）底面図。
【図１０】同実施例２に係る分割貫通型変流器における第一コアブロックの右側面図。
【図１１】同実施例２に係る分割貫通型変流器における防震材の配置を変更した変形例を示す第一コアブロックの右側面図。
【考案を実施するための形態】
【００１９】
以下に本考案の実施の形態として、実施例１、実施例２を示す。尚、本考案は、上記実施例１、実施例２に限定されるものではなく、設計事項の範囲で種々の変形等を含む。
【実施例１】
【００２０】
本考案の実施例１に係る分割貫通型変流器Ｔは、図１から図５に示すように、夫々略半円弧輪郭形状を有し、且つその両端部を外方へ所定幅寸法で延設した張出部１１ａを有する第一コアブロック１ａ及び第二コアブロック１ｂを、防震材７を介して相互に対向した状態として、接続用ボルト５ａ、５ｂで接続して一体として構成する分割貫通型変流器Ｔである。
【００２１】
前記第一コアブロック１ａは、略半円弧形状の第一分割コア２ａと、該第一分割コア２ａに対して捲回された二次側コイルである第一コイル３ａと、当該第一コイル３ａの一端３０ａに接続される端子接続部材８と、当該第一コイル３ａの他端３０ｂに接続され一方の張出部１１ａに設けられる第一接続金具４ａと、他方の張出部１１ｂに設けられる第四接続金具４ｄとを備えている。これらの各構成はモールディングによって形成される第一コアブロック本体１０ａによって基本的に埋設固定される。
【００２２】
しかしながら、第一分割コア２ａの両端面は、第一コアブロック本体１０ａの半円弧輪郭形状の両端の端面（即ち、第二分割コア２ｂに対する対向面（以下、対向面という。））から突出する。突出量は約２ｍｍ程度としている。
【００２３】
また、端子接続部材８の一端は第一コアブロック本体１０ａの外面に表出し、第一接続金具４ａ及び第四接続金具４ｄの夫々の一端は第一コアブロック本体１０ａの張出部１１ａにおける前記対向面に表出し、第四接続金具４ｄの他端は前記張出部１１ｂの反対側の面に表出する。
前記対向面における第一分割コア２ａの周囲には、前記防震材７を保持するための第一保持溝１２ａを備える。第一保持溝１２ａの深さは約２ｍｍ程度である。
【００２４】
上記構成によって、第一コアブロック１ａ内において、端子接続部材８から第一コイル３ａを介して第一接続金具４ａまで接続された構成となる。
【００２５】
前記端子接続部材８、第一接続金具４ａ、第四接続金具４ｄには、夫々雌螺子が設けてある。当該端子接続部材８は、雄螺子を有する一方の端子用ボルト６ａと螺合可能である。
【００２６】
前記第二コアブロック１ｂは、略半円弧形状の第二分割コア２ｂと、該第二分割コア２ｂに対して捲着された二次側コイルである第二コイル３ｂと、当該第二コイル３ｂの一端３１ａに接続され一方の張出部１１ｃに設けられる第二接続金具４ｂと、当該第二コイル３ｂの他端３０ｄに接続され他方の張出部１１ｄに設けられる第三接続金具４ｃとを備えている。これらの各構成はモールディングによって形成される第二コアブロック本体１０ｂによって基本的に埋設固定される。
【００２７】
しかしながら、第二分割コア２ｂの両端面は、第二コアブロック本体１０ｂの半円弧輪郭形状の両端の端面（対向面）から突出する。突出量は第一コアブロック１ａと同様に約２ｍｍ程度としている。
【００２８】
また、第二接続金具４ｂ及び第三接続金具４ｃの夫々の一端は第二コアブロック本体１０ｂの張出部１１ｃにおける前記対向面に表出し、第二接続金具４ｂ及び第三接続金具４ｃの夫々の他端は前記張出部１１ｃ、１１ｄの反対側の面に表出する。前記対向面における第二分割コア２ｂの周囲には、前記防震材７を保持するための第二保持溝１２ｂを備える。第二保持溝１２ｂの形状及び位置は第一保持溝１２ａと共通する。
【００２９】
第二接続金具４ｂ及び第三接続金具４ｃはいずれも貫通孔を有する円筒状であり、その側周面の全体に、当該金具の空転を防止すべく長手方向に連続する複数の凹条を設けている。
【００３０】
上記構成によって、第二コアブロック１ｂ内において、第二接続金具４ｂから第二コイル３ｂを介して第三接続金具４ｃまで接続された構成となる。
【００３１】
本実施例における防震材７は、エラストマーからなるパッキンであり、前記第一保持溝及び第二保持溝の形状に対応して形成された、高さ１０ｍｍ程度の平面視矩形輪郭を有する環状体である。当該防震材７を、第一コアブロック１ａ若しくは第二コアブロック１ｂの前記第一保持溝及び第二保持溝に差し込んで保持する。
【００３２】
次いで、第二コアブロック１ｂ側から第二接続金具４ｂ及び第三接続金具４ｃに対して接続用ボルト５ａ、５ｂを挿通し、第一接続金具４ａ及び第四接続金具４ｄにおける雌螺子と当該接続用ボルト５ａ、５ｂの雄螺子とを螺合する。第四接続金具４ｄには、前記接続用ボルト５ｂと干渉しない範囲で、他方の端子用ボルト６ｂを螺合できる。
【００３３】
一の接続用ボルト５ａと第一接続金具４ａの螺合によって当該第一接続金具４ａと第二接続金具４ｂとが接続される。また、他の接続用ボルト５ｂの螺合によって第三接続金具４ｃと第四接続金具４ｄが接続される。これによって、一方の端子用ボルト６ａが螺合される端子接続部材８から、第一コイル３ａ、第一接続金具４ａ、当該一の接続用ボルト５ａ、第二接続金具４ｂ、第二コイル３ｂ、第三接続金具４ｃ、当該他の接続用ボルト５ｂ、第四接続金具４ｄの順に、第一コアブロック１ａと第二コアブロック１ｂ相互の電気的な接続がされトランス部Ｔ０を構成することと、緊締固定とを同時になすことができ、非常に設置作業が容易となる効果を得ることができる。
【実施例２】
【００３４】
図６から図１０に示すように、本考案の実施例２に係る分割貫通型変流器Ｔは、実施例１の分割型変流器と異なり、二組の分割コアを有するものである。分割コアのうち一組の分割コアは、実施例１と同様の用途である電源用コアＣ１として用い、ＡＣ／ＤＣコンバータを併用することで一次側の電流（例えば、５０Ａ（アンペア）から１０００Ａ程度）から二次側へ直流電流（例えば、ＤＣ＋１５Ｖ、出力１２Ｗ程度）を得るために使用するものである。また他方の一組の分割コアは、電流を計測する計測用コアＣ２として用いる。
【００３５】
本実施例２に係る分割貫通型変流器Ｔは、第一コアブロック１ａ及び第二コアブロック１ｂを左右に分割した構成としている。第一コアブロック１ａ、第二コアブロック１ｂの夫々に、前記電源用コアＣ１の分割コアと計測用コアＣ２の分割コアを備える。
【００３６】
第一コアブロック１ａは、電源用コアＣ１を構成する略半円弧形状の電源用第一分割コア２ｃと計測用第一分割コア２ｅを、当該分割貫通型変流器Ｔの中央穴の中心軸線方向に平行に配置してある。電源用第一分割コア２ｃは相対的に大径とし、計測用第一分割コア
２ｅを相対的に小径とする。
【００３７】
電源用第一分割コア２ｃ側においては、当該電源用第一分割コア２ｃに回された二次側コイルである電源用第一コイル３ｃと、当該電源用第一コイル３ｃの一端３２ａに接続される電源用端子接続部材８ａと、当該電源用第一コイル３ｃの他端３２ｂに接続され一方の張出部１１ａに設けられる電源用第一接続金具４ｅと、他方の張出部１１ｂに設けられる電源用第四接続金具４ｈとを備えている。
【００３８】
また、計測用第一分割コア２ｅ側においては、電源用第一分割コア２ｃと同様に配置される。即ち、計測用第一分割コア２ｅと、当該計測用第一分割コア２ｅに回された二次側コイルである計測用第一コイル３ｅと、当該計測用第一コイル３ｅの一端３４ａに接続される計測用端子接続部材８ｂと、当該計測用第一コイル３ｅの他端３４ｂに接続され一方の張出部に設けられる計測用第一接続金具４ｉと、他方の張出部に設けられる計測用第四接続金具４ｍとを備えている。
【００３９】
本実施例２における第二コアブロック１ｂは、前記第一コアブロック１ａと同様に、計測用コアＣ２を構成する略半円弧形状の電源用第二分割コア２ｄと計測用第二分割コア２ｆを、当該分割貫通型変流器Ｔの中央穴の中心軸線方向に平行に配置してある。電源用第二分割コア２ｄ、計測用第二分割コア２ｆは、夫々第一コアブロック１ａの電源用第一分割コア２ｃ、計測用第一分割コア２ｅに夫々対応した径としている。
【００４０】
そして、電源用第二分割コア２ｄ側においては、略半円弧形状の電源用第二分割コア２ｄと、該電源用第二分割コア２ｄに対して捲着された二次側コイルである電源用第二コイル３ｄと、当該電源用第二コイル３ｄの一端３３ａに接続され一方の張出部１１ａに設けられる電源用第二接続金具４ｆと、当該電源用第二コイル３ｄの他端３３ｂに接続され他方の張出部１１ｂに設けられる電源用第三接続金具４ｇとを備えている。
【００４１】
また、計測用第二分割コア２ｆ側においては、略半円弧形状の計測用第二分割コア２ｆと、該計測用第二分割コア２ｆに対して捲着された二次側コイルである計測用第二コイル３ｆと、当該計測用第二コイル３ｆの一端３５ａに接続され一方の張出部１１ｃに設けられる計測用第二接続金具４ｊと、当該計測用第二コイル３ｆの他端３５ｂに接続され他方の張出部１１ｄに設けられる計測用第三接続金具４ｋとを備えている。
【００４２】
これらの各構成は、実施例１に係るコアブロック１ａ、１ｂと同様に、モールディングによって形成される第一コアブロック本体１０ａ若しくは第二コアブロック本体１０ｂによって基本的に埋設固定され、各分割コアの両端面は対向面から突出する。
また、各端子接続部材の一端は第一コアブロック本体１０ａの外面に表出し、各第一接続金具４ｅ、４ｉ及び各第四接続金具４ｈ、４ｍの夫々の一端は第一コアブロック本体１０ａの張出部１１ａ、１１ｂにおける前記対向面に表出し、各第四接続金具４ｈ、４ｍの他端は前記張出部１１ｂの反対側の面に表出する。
【００４３】
本実施例２によれば、電源用コアＣ１側において、電源用コアＣ１側の一の接続用ボルト５ａと電源用第一接続金具４ｅの螺合によって当該電源用第一接続金具４ｅと電源用第二接続金具４ｆとが接続される。また、電源用コアＣ１側の他の接続用ボルト５ｂと電源用第四接続金具４ｈの螺合によって電源用第三接続金具４ｇと当該電源用第四接続金具４ｈが接続される。
また、電源用コアＣ１に併設される計測用コアＣ２側においては、計測用コアＣ２側の一の接続用ボルト５ｃと計測用第一接続金具４ｉの螺合によって当該計測用第一接続金具４ｉと計測用第二接続金具４ｊとが接続される。
また、計測用コアＣ２側の他の接続用ボルト５ｄと計測用第四接続金具４ｍの螺合によって計測用第三接続金具４ｋと当該計測用第四接続金具４ｍが接続される。
【００４４】
以上によって、図７に示すように、電源用コアＣ１側の一方の端子用ボルト６ａが螺合される電源用端子接続部材８ａから、電源用第一コイル３ｃ、電源用第一接続金具４ｅ、当該電源用コアＣ１側の一の接続用ボルト５ａ、電源用第二接続金具４ｆ、電源用第二コイル３ｄ、電源用第三接続金具４ｇ、当該電源用コアＣ１側の他の接続用ボルト５ｂ、電源用第四接続金具４ｈの順に、第一コアブロック１ａと第二コアブロック１ｂ相互の電気的な接続がされ、電源用トランス部Ｔ１を構成する。
また図８に示すように、計測用コアＣ２側の一方の端子用ボルト６ｄが螺合される計測用端子接続部材８ｂから、計測用第一コイル３ｅ、計測用第一接続金具４ｉ、当該計測用コアＣ２側の一の接続用ボルト５ｃ、計測用第二接続金具４ｊ、計測用第二コイル３ｆ、計測用第三接続金具４ｋ、当該計測用コアＣ２側の他の接続用ボルト５ｄ、計測用第四接続金具４ｍ、端子用ボルト６ｅの順に、第一コアブロック１ａと第二コアブロック１ｂ相互の電気的な接続がされ、計測用トランス部Ｔ２を構成する。
【００４５】
そして、この電源用トランス部Ｔ１の構成と、計測用トランス部Ｔ２の構成と、全体の緊締固定とが、同時に行われることによって、非常に設置作業が容易となる効果を得ることができる。
【００４６】
以上のように、本実施例２に係る分割貫通型変流器Ｔによれば、図８に示すように、電源用コアＣ１側についての端子をＡＣ／ＤＣコンバータ９０へ接続し、一次側から得た交流を直流へ変換し、所望の直流出力を可能とし、且つ、計測用コアＣ２側の端子を電流計に接続して、電流の計測を可能とする。当該構成によって、所望の直流出力を行いたい場合、同時に電流の計測が行えるため、当該実施例２に係る分割貫通型変流器Ｔを設置することで行えるため、利便性にも優れるものである。
【００４７】
尚、本考案は上記実施例１及び実施例２に係る分割貫通型変流器Ｔに限らず、一の分割貫通型変流器Ｔに含まれるコアの数は３以上とすることもできる。また、分割コアは実施例に示した相互に対象となる形状に限らず分割コアの一方をＵ型、他方をＩ型等とすることもできる。各コアの機能は、実施例１及び実施例２に開示した電源用、電流計測用の他、リレー動作用等、事案によって必要となる種々の用途に適する構成を、複合的に用いることができる。
【００４８】
また、各接続金具や端子における雌雄螺子の位置関係は、接続ボルトの挿入方向、端子の位置等の関係から、自由に設定することができる。
【００４９】
また、防震材７は実施例１、２に示したように分割コアごとにその周囲に配置するものであってもよいし、第一コアブロック１ａ若しくは第二コアブロック１ｂにおいて、複数のコアを含む場合には、例えば実施例２の変形例として図１１に示すように、当該複数の分割コアをまとめて囲む構成とすることもできる。
【００５０】
尚、本考案の主要な構成とは異なるが、実施例２に示すように、第一コアブロック１ａ及び第二コアブロック１ｂの固定をより強固とするために、必要に応じて、いずれか一方のコアブロックに固定用ボルト５０を設け、他方に雌螺子を有する埋金５１を設けることができる。
【００５１】
また、上記実施例１及び実施例２に係る分割貫通型変流器の各正面図における四隅位置に開示するように、任意に他物に対する取付けを目的とする固着手段（上記各実施例においては雌螺子を有する埋金５２）を設けることができる。
【符号の説明】
【００５２】
Ｔ      分割貫通型変流器
Ｔ０    トランス部
Ｔ１    電源用トランス部
Ｔ２    計測用トランス部
Ｃ１    電源用コア（実施例２）
Ｃ２    計測用コア（実施例２）
１ａ    第一コアブロック
１ｂ    第二コアブロック
１０ａ  第一コアブロック本体
１０ｂ  第二コアブロック本体
１１ａ  張出部
１１ｂ  張出部
１１ｃ  張出部
１１ｄ  張出部
１２ａ  第一保持溝
１２ｂ  第二保持溝
２ａ    第一分割コア（実施例１）
２ｂ    第二分割コア（実施例１）
２ｃ    電源用第一分割コア（実施例２）
２ｄ    電源用第二分割コア（実施例２）
２ｅ    計測用第一分割コア（実施例２）
２ｆ    計測用第二分割コア（実施例２）
３ａ    第一コイル（実施例１）
３ｂ    第二コイル（実施例１）
３ｃ    電源用第一コイル（実施例２）
３ｄ    電源用第二コイル（実施例２）
３ｅ    計測用第一コイル（実施例２）
３ｆ    計測用第二コイル（実施例２）
３０ａ  コイルの一端（実施例１）
３０ｂ  コイルの他端（実施例１）
３１ａ  コイルの一端（実施例１）
３１ｂ  コイルの他端（実施例１）
３２ａ  電源用第一コイルの一端（実施例２）
３２ｂ  電源用第一コイルの他端（実施例２）
３３ａ  電源用第二コイルの一端（実施例２）
３３ｂ  電源用第二コイルの他端（実施例２）
３４ａ  計測用第一コイルの一端（実施例２）
３４ｂ  計測用第一コイルの他端（実施例２）
３５ａ  計測用第二コイルの一端（実施例２）
３５ｂ  計測用第二コイルの他端（実施例２）
４ａ    第一接続金具（実施例１）
４ｂ    第二接続金具（実施例１）
４ｃ    第三接続金具（実施例１）
４ｄ    第四接続金具（実施例１）
４ｅ    電源用第一接続金具（実施例２）
４ｆ    電源用第二接続金具（実施例２）
４ｇ    電源用第三接続金具（実施例２）
４ｈ    電源用第四接続金具（実施例２）
４ｉ    計測用第一接続金具（実施例２）
４ｊ    計測用第二接続金具（実施例２）
４ｋ    計測用第三接続金具（実施例２）
４ｍ    計測用第四接続金具（実施例２）
５ａ    接続用ボルト
５ｂ    接続用ボルト
５ｃ    接続用ボルト（実施例２）
５ｄ    接続用ボルト（実施例２）
５０    補助ボルト（実施例２）
５１    埋金
５２    埋金
６ａ    端子用ボルト
６ｂ    端子用ボルト
６ｃ    端子用ボルト
６ｄ    端子用ボルト
６ｅ    端子用ボルト
７      防震材
８      端子接続部材
８ａ    電源用端子接続部材
８ｂ    計測用端子接続部材
９０    ＤＣ／ＡＣコンバータ
９１    負荷
９２    一次導体
【図１】
0003211574.tif 000003
【図２】
0003211574.tif 000004
【図３】
0003211574.tif 000005
【図４】
0003211574.tif 000006
【図５】
0003211574.tif 000007
【図６】
0003211574.tif 000008
【図７】
0003211574.tif 000009
【図８】
0003211574.tif 000010
【図９】
0003211574.tif 000011
【図１０】
0003211574.tif 000012
【図１１】
0003211574.tif 000013